(57)【要約】【課題】折戸の吊込み作業を実質的に一工程の手順で容易に行えるようにする。【解決手段】吊込み治具４０を持ち込み、前記ランナ本体６，６を最接近させた状態とするとともに、折戸２を平面視でＶ字状に折り畳んだ状態とし、この折戸の上端部に夫々、折戸嵌合部４３を嵌合させるようにして前記吊込み治具４０を設置した後、折戸２を上ガイドレールに対してほぼ直交する方向に押し込むことにより、連結軸７を前記導入口部４５から前記押込み案内溝部４６まで挿入させるとともに、該連結軸７の挿入によって左右一対の吊込みガイド本体４１Ａ、４１Ｂを離隔する方向に変位させ、引き続き折戸２の押し込みを継続し、連結軸７を前記結合案内溝部４７の入口に到達させた段階で前記連結部材４２の弾性復元力によって前記連結軸７，７をランナ取付具８，８の連結軸結合部に自動的に案内する。【選択図】図２０
2009280965.tif 000002
【特許請求の範囲】
【請求項１】
上ガイドレールに沿って走行自在とされるランナ本体と、該ランナ本体から下方向に突出した連結軸と、折戸の上端部に固定され前記連結軸と結合されるランナ取付具とからなり、前記連結軸が前記ランナ取付具に対して正面側から着脱自在とされる折戸の吊込み方法であって、
左右一対の吊込みガイド本体を弾性復元力を発揮する連結部材で連結し、各吊込みガイド本体は前記ランナ取付具を囲むように折戸の上端部に嵌合される折戸嵌合部を有するとともに、前記連結軸の挿入ガイド溝を有し、該挿入ガイド溝は前記折戸嵌合部とは反対側に形成された導入口部と、この導入口部から連続して嵌合された折戸の略パネル方向に沿って形成された押込み案内溝部と、この押込み案内溝部から略直交方向に屈曲して連続的に形成されるとともに、前記連結軸を前記ランナ取付具の連結軸結合部に向けて案内する結合案内溝部とから構成された吊込み治具を持ち込み、
前記ランナ本体を最接近させた状態とするとともに、折戸を平面視でＶ字状に折り畳んだ状態とし、この折戸の上端部に夫々、前記折戸嵌合部を嵌合させるようにして前記吊込み治具を設置した後、折戸を上ガイドレールに対してほぼ直交する方向に押し込むことにより、連結軸を前記導入口部から前記押込み案内溝部まで挿入させるとともに、前記連結軸の挿入によって左右一対の吊込みガイド本体を離隔する方向に変位させ、引き続き折戸の押し込みを継続し、連結軸を前記結合案内溝部の入口に到達させた段階で前記連結部材の弾性復元力によって前記連結軸をランナ取付具の連結軸結合部に自動的に案内することを特徴とする折戸の吊込み方法。
【請求項２】
前記連結軸は、相対的に径の大きな大径部を備え、前記ランナ取付具は、左右一対で対向配置されるとともに、鉛直軸周りに回動自在に支持され、前記連結軸の水平方向からの挿入により回動して前記連結軸の大径部を抜脱不能に挟持するロック部材と、該ロック部材に係合し、前記連結軸の挟持状態の保持及びその解除を可能とする係合ブロックとを含む連結軸の着脱機構を備えている請求項１記載の折戸の吊込み方法。
【請求項３】
左右一対の吊込みガイド本体を弾性復元力を発揮する連結部材で連結し、各吊込みガイド本体は前記ランナ取付具を囲むように折戸の上端部に嵌合される折戸嵌合部を有するとともに、前記連結軸の挿入ガイド溝を有し、該挿入ガイド溝は前記折戸嵌合部とは反対側に形成された導入口部と、この導入口部から連続して嵌合された折戸の略パネル方向に沿って形成された押込み案内溝部と、この押込み案内溝部から略直交方向に屈曲して連続的に形成されるとともに、前記連結軸を前記ランナ取付具の連結軸結合部に向けて案内する結合案内溝部とから構成されることを特徴とする吊込み治具。
【発明の詳細な説明】
【技術分野】
【０００１】
本発明は、折戸の吊込み方法に係り、詳しくは走行レールに沿って走行自在とされるランナ本体と、該ランナ本体から下方向に突出した連結軸と、折戸の上端部に固定され前記連結軸と連結されるランナ取付具とからなり、前記連結軸が前記ランナ取付具に対して正面側から着脱自在とされる折戸の吊込み方法及びそのための吊込み治具に関する。
【背景技術】
【０００２】
従来より、折戸とランナとを簡単に結合可能とするための吊込み装置として、種々のものが提案されている。例えば、下記特許文献１では、開閉体の被取付部に、取付部を水平方向から導入するための側面に開口を有し且つこの開口が上下方向に形成された導入部と、導入部の奥側に連設された仮保持部と、仮保持部と導入部との間に設けられて取付部が水平方向に移動して仮保持部から抜けるのを防止する抜止め部と、仮保持部の下方側に連設されて取付部と被取付部の上下方向の相対移動により取付部を水平方向及び上下方向に本固定するための本固定部とを備えたものが開示されている。
【特許文献１】特許第３７６４７３５号公報
【発明の開示】
【発明が解決しようとする課題】
【０００３】
しかしながら、上記特許文献１記載の吊込み装置では、開閉体の取付けにおいて、被取付部を取付部に向けて水平移動させることにより、前記取付部が被取付部の導入部から仮保持部に向かって水平方向に押し込まれて仮保持された状態にするとともに、抜止め部にて抜止めし、その後引戸を持ち上げることにより引戸を本固定する２手順の操作を必要とするものであるため、吊込み作業が煩雑であった。
【０００４】
そこで本発明の主たる課題は、折戸の吊込み作業を実質的に一工程の手順で行えるようにした折戸の吊込み方法及びそのための吊込み治具を提案することにある。
【課題を解決するための手段】
【０００５】
前記課題を解決するために請求項１に係る本発明として、上ガイドレールに沿って走行自在とされるランナ本体と、該ランナ本体から下方向に突出した連結軸と、折戸の上端部に固定され前記連結軸と結合されるランナ取付具とからなり、前記連結軸が前記ランナ取付具に対して正面側から着脱自在とされる折戸の吊込み方法であって、
左右一対の吊込みガイド本体を弾性復元力を発揮する連結部材で連結し、各吊込みガイド本体は前記ランナ取付具を囲むように折戸の上端部に嵌合される折戸嵌合部を有するとともに、前記連結軸の挿入ガイド溝を有し、該挿入ガイド溝は前記折戸嵌合部とは反対側に形成された導入口部と、この導入口部から連続して嵌合された折戸の略パネル方向に沿って形成された押込み案内溝部と、この押込み案内溝部から略直交方向に屈曲して連続的に形成されるとともに、前記連結軸を前記ランナ取付具の連結軸結合部に向けて案内する結合案内溝部とから構成された吊込み治具を持ち込み、
前記ランナ本体を最接近させた状態とするとともに、折戸を平面視でＶ字状に折り畳んだ状態とし、この折戸の上端部に夫々、前記折戸嵌合部を嵌合させるようにして前記吊込み治具を設置した後、折戸を上ガイドレールに対してほぼ直交する方向に押し込むことにより、連結軸を前記導入口部から前記押込み案内溝部まで挿入させるとともに、前記連結軸の挿入によって左右一対の吊込みガイド本体を離隔する方向に変位させ、引き続き折戸の押し込みを継続し、連結軸を前記結合案内溝部の入口に到達させた段階で前記連結部材の弾性復元力によって前記連結軸をランナ取付具の連結軸結合部に自動的に案内することを特徴とする折戸の吊込み方法が提供される。
【０００６】
上記請求項１記載の発明では、左右一対の吊込みガイド本体を弾性復元力を発揮する連結部材で連結し、各吊込みガイド本体は前記ランナ取付具を囲むように折戸の上端部に嵌合される折戸嵌合部を有するとともに、前記連結軸の挿入ガイド溝を有し、該挿入ガイド溝は前記折戸嵌合部とは反対側に形成された導入口部と、この導入口部から連続して嵌合された折戸の略パネル方向に沿って形成された押込み案内溝部と、この押込み案内溝部から略直交方向に屈曲して連続的に形成されるとともに、前記連結軸を前記ランナ取付具の連結軸結合部に向けて案内する結合案内溝部とから構成された吊込み治具を使用して折戸の吊込みを行う。
【０００７】
具体的には、前記ランナ本体を最接近させた状態とするとともに、折戸を平面視でＶ字状に折り畳んだ状態とし、この折戸の上端部に夫々、前記折戸嵌合部を嵌合させるようにして前記吊込み治具を設置した後、折戸を上ガイドレールに対してほぼ直交する方向に押し込むことにより、連結軸を前記導入口部から前記押込み案内溝部まで挿入させるとともに、前記連結軸の挿入によって左右一対の吊込みガイド本体を離隔する方向に変位させ、引き続き折戸の押し込みを継続し、連結軸を前記結合案内溝部の入口に到達させた段階で前記連結部材の弾性復元力によって前記連結軸をランナ取付具の連結軸結合部に自動的に案内するようにした。
【０００８】
従って、前記吊込み治具を折戸にセットした後、折戸を平面視でＶ字状に折り畳んだ状態とし、若干持上げながら、連結軸を挿入ガイド溝に挿入させるように折戸を単に奥側に押し込むことにより、連結軸をランナ取付具に対して一工程の手順で連結することが可能となる。
【０００９】
請求項２に係る本発明として、前記連結軸は、相対的に径の大きな大径部を備え、前記ランナ取付具は、左右一対で対向配置されるとともに、鉛直軸周りに回動自在に支持され、前記連結軸の水平方向からの挿入により回動して前記連結軸の大径部を抜脱不能に挟持するロック部材と、該ロック部材に係合し、前記連結軸の挟持状態の保持及びその解除を可能とする係合ブロックとを含む連結軸の着脱機構を備えている請求項１記載の折戸の吊込み方法が提供される。
【００１０】
上記請求項２記載の発明では、ランナ取付具の連結軸着脱機構の具体例を示したものである。具体的に前記連結軸は、相対的に径の大きな大径部を備え、前記ランナ取付具は、左右一対で対向配置されるとともに、鉛直軸周りに回動自在に支持され、前記連結軸の水平方向からの挿入により回動して前記連結軸の大径部を抜脱不能に挟持するロック部材と、該ロック部材に係合し、前記連結軸の挟持状態の保持及びその解除を可能とする係合ブロックとを含む連結軸の着脱機構を備えている。
【００１１】
従って、下方向に突出した連結軸が固定されたランナ本体を走行レールに取り付けた状態で、前記ランナ取付具が固設された折戸を水平方向から押し込むだけで連結軸のランナ取付具への固定が完了し、折戸の吊込み作業が容易化できるようになる。また、前記ランナ取付具は、前記ロック部材に係合し、前記連結軸の挟持状態の保持及びその解除を可能とする係合ブロックを備えることにより、前記ロック部材による連結軸の挟持状態が確実に保持され、確実に吊込み状態が維持できるとともに、簡単に吊込み状態を解除できるようになる。
【００１２】
請求項３に係る本発明として、左右一対の吊込みガイド本体を弾性復元力を発揮する連結部材で連結し、各吊込みガイド本体は前記ランナ取付具を囲むように折戸の上端部に嵌合される折戸嵌合部を有するとともに、前記連結軸の挿入ガイド溝を有し、該挿入ガイド溝は前記折戸嵌合部とは反対側に形成された導入口部と、この導入口部から連続して嵌合された折戸の略パネル方向に沿って形成された押込み案内溝部と、この押込み案内溝部から略直交方向に屈曲して連続的に形成されるとともに、前記連結軸を前記ランナ取付具の連結軸結合部に向けて案内する結合案内溝部とから構成されることを特徴とする吊込み治具が提供される。
【発明の効果】
【００１３】
以上詳説のとおり本発明によれば、折戸の吊込み作業を実質的に一工程の手順で行えるようになる。
【発明を実施するための最良の形態】
【００１４】
以下、本発明の実施の形態について図面を参照しながら詳述する。
【００１５】
〔折戸の吊込み装置〕
図１は吊込み装置１によって支持された折戸２を示す、(A)は正面図、(B)はそのＢ−Ｂ断面図である。
【００１６】
図１に示されるように、２枚のパネルが側縁で蝶番によって連結され折り畳み可能とされる折戸２が、開口部の上側に上ガイドレール３が配設されるとともに、下側に下ガイドレール４が配設され、折戸２の上側端に固定されるランナ本体６が前記上ガイドレール３に沿って走行案内されるとともに、折戸２の下側端に固定される下側走行体５が前記下ガイドレール４に沿って走行案内されることにより、開閉可能となっている。
【００１７】
前記吊込み装置１は、前記上ガイドレール３に沿って走行自在とされるランナ本体６と、該ランナ本体６から下方に突出した連結軸７と、折戸２の上端部に対して固定され前記連結軸７と連結されるランナ取付具８とからなり、前記連結軸７が前記ランナ取付具８に対して正面側から着脱自在とされている。
【００１８】
図２及び図３に示されるように、前記ランナ本体６は、ローラ支軸１０Ａ、１０Ｂによって両側に夫々２個ずつ支持された合計４個のローラ１１、１１…を備え、これらローラ１１、１１…が上ガイドレール３の走行溝３ａ、３ａを転動することにより上ガイドレール３に沿って移動自在となっている。また、前記ローラ支軸１０Ａ、１０Ｂ間の略中央部から下方に向けて前記ランナ取付具８と連結される連結軸７が取り付けられている。ここで、前記ランナ本体６には、前記連結軸７の上下方向位置を調整するための調整機構が備えられている。
【００１９】
前記調整機構は、一般に使用されているものでも構わないが、特開２０００−３２０２３０号公報に記載された調整機構が好適に使用できる。詳細には図３に示されるように、ランナ本体６には一方側のローラ支軸１０Ｂを含む範囲に中空部６ａが形成され、前記ローラ１１を支持するローラ支軸１０Ｂを共通の支軸として揺動自在の揺動片１２が設けられている。この揺動片１２は、揺動がわ先端部に縦方向の軸挿通孔１２ａが形成されており、ランナ本体６の下面側に形成された軸貫通孔６ｂより連結軸７の上部を挿入するとともに、この軸挿通孔１２ａに連結軸７の上端部を挿通した後、先端がカシメられ、前記連結軸７が下側に抜け出ないように保持されるようになっている。また、前記ランナ本体６の下面側には、側部より斜め上方向に向けて螺入された上下方向調整ネジ１３が設けられ、この上下方向調整ネジ１３の先端が揺動片１２下面のネジ当接面１２ｂに対して当接している。
【００２０】
前記連結軸７の上下方向位置を調整するに当たっては、ドライバー（ネジ回し）Ｓを持ち込み、前記上下方向調整ネジ１３を軸芯回りに回転させて螺退進させ、前記揺動片１２の揺動位置を調整することにより行う。
【００２１】
かかる上下調整機構の場合には、揺動片１２を介して連結軸７を支持し、連結軸７の上下移動は上下方向調整ネジ１３による揺動片１２の揺動操作によって成される。したがって、前記連結軸７は、調整ネジ１３から水平方向の押圧力を一切受けることがなく、常に揺動片１２により吊り状態で支持されるものとなるため、連結軸７の軸芯回りの回転は常に円滑に維持されるようになる。
【００２２】
前記連結軸７は、図２に示されるように、軸部７ａの下端に、相対的に径の大きなフランジ状の大径部７ｂを備えている。
【００２３】
図４に示されるように、前記ランナ取付具８は、開口部から連通する内部空間を有する収容ケース２０と、組立状態で前記収容ケース２０内に収容され、左右一対で対向配置されるとともに、鉛直軸周りに回動自在に支持され、前記連結軸７の水平方向からの挿入により回動して前記連結軸７の大径部７ｂを抜脱不能に挟持するロック部材２１、２１と、該ロック部材２１に係合し、前記連結軸７の挟持状態の保持及びその解除を可能とする係合ブロック２２と、前記係合ブロック２２を折戸２の面外方向（外方向）に付勢保持するバネ部材２３とから主に構成されている。なお、前記ロック部材２１、２１は、それぞれ、前記収容ケース２０の上面から挿通される連通軸２４によって回動自在に支持されている。
【００２４】
図６に示されるように、前記収容ケース２０は、前面に形成された開口部から連通する内部空間を有し、折戸２の側面側に埋設して固定されるケース体２５と、折戸２への固定を図る正面視略矩形状の取付フランジ２６とから構成されている。
【００２５】
前記ケース体２５は、後面が閉塞された略円筒状の外形を成し、その外周上部は折戸２の上面と同面となるように平面状の上面部２５Ａが形成されている。前記上面部２５Ａには、前記連結軸７の軸部７ａが水平方向に挿入可能なように溝部２７が形成されている。この溝部２７の導入部は、前記連結軸７の挿入がスムーズに行われるようにするため、開口側端に向けて拡開したテーパ部２７ａが形成されている。
【００２６】
また、前記ケース体２５の上面部２５Ａには、前記溝部２７の両側に、ロック部材２１を回動自在に支持するための連通軸２４が挿通される軸挿通孔２５ａ、２５ａが左右対で設けられるとともに、ケース体２５内部の両側面から突出した支持台２５ｂ、２５ｂにはそれぞれ、同様に連通軸２４が挿通される軸挿通孔２５ｃが設けられている。
【００２７】
前記取付フランジ２６には、折戸２の側面に固定する固定用ビス（図示せず）を取付けるための取付穴２６ａ、２６ａが設けられている。
【００２８】
前記ロック部材２１は、図４に示されるように、前記ケース体２５内に左右一対で左右対称のものが対向配置され、各ロック部材２１は、図７に示されるように、略半円筒形の外形を有している。前記ロック部材２１には、回動中心となる位置に前記連通軸２４が挿通される軸挿通孔２１ａが設けられている。また、ロック部材２１、２１を対向配置した状態で鉛直軸周りに回動させる際に、ロック部材２１、２１同士が当接して回動が阻害されないように、隅切りした円弧状の欠切部２１ｂが設けられている。
【００２９】
前記ロック部材２１の内周面には、前記連結軸７の軸部７ａ及び大径部７ｂの外径にそれぞれ対応して、相対的に内径の小さな小円弧部２１ｃ及び相対的に内径の大きな大円弧部２１ｄが形成されており、その境界部には段差が形成されている。これにより、ロック部材２１、２１による挟持状態で、前記連結軸７の大径部７ｂが前記大円弧部２１ｄで抜脱不能に挟持されるようになっている。
【００３０】
また、前記ロック部材２１の下面端部には、下方に突出する突出軸３０が備えられている。この突出軸３０は、後述する係合ブロック２２の凹状部３１と滑らかな摺動を可能とするものであれば、円形断面（図示例）、楕円断面、小判断面等、任意の形状とすることができる。これらの中でも、小判断面とすることが好ましい。仮に、突出軸３０を小判断面とした場合には、係合ブロック２２の円滑な移動を実現するとともに、後述する係合ブロック２２の収容保持部３１ｂに収容された状態で、直線部の側面同士を当接させるようにすれば、確実な収容状態を維持することが可能となる。
【００３１】
図４及び図５に示されるように、前記係合ブロック２２は、バネ部材２３により折戸２の面外方向（外方向）に付勢保持されている。前記バネ部材２３は、一方端が前記係合ブロック２２の後面中央部に設けられた凸状部２２ａに外嵌されるとともに、他方端が前記ケース体２５内の後面下方中央部に設けられた凸状部２５ｄに外嵌されている。
【００３２】
さらに、前記係合ブロック２２の上面には、図８に示されるように、前記ロック部材２１の突出軸３０を係合させるために、窪み状の凹状部３１が設けられている。この凹状部３１は、平面視で、左右両側に前記連結軸７の水平方向からの挿入に伴う前記ロック部材２１の回動により前記突出軸３０と摺動し、前記係合ブロック２２をバネ付勢力に抗して前記ランナ取付具８内に没入させる傾斜辺部３１ａ、３１ａが形成されるとともに、前記傾斜辺部３１ａ、３１ａの中間部に、前記突出軸３０が前記傾斜辺部３１ａを乗り越えた時点で、前記バネ部材２３のバネ付勢力によって前記係合ブロック２２が移動し、前記突出軸３０、３０を移動不能に収容保持することにより、前記連結軸７を抜脱不能状態に保持する突出軸の収容保持部３１ｂが形成され、かつ前記収容保持部３１ｂの対向面位置に、前記係合ブロック２２の没入操作により、前記突出軸３０、３０間に挟入し、前記突出軸３０、３０間を拡開させることにより前記連結軸７の保持状態を解除させる山形辺状の解除部３１ｃが形成されている。
【００３３】
なお、前記係合ブロック２２の前面は、該係合ブロック２２の没入操作をするために平面状の押圧部２２ｂとなっている。また、係合ブロック２２の没入操作による過大な移動を防止するため、この押圧部２２ｂの下方に係合ブロック２２の底面より下方に突出したストッパー部２２ｃが形成されるとともに、このストッパー部２２ｃを係止するため、前記ケース体２５の内側底部に、開口部から所定の奥行き位置において突出する段差部２５ｅが設けられている。
【００３４】
次に、折戸２の吊り込み及び取り外し時の作動状態について、図９〜図１１に基づいて説明する。図９は折戸２の吊込み時の作動状態を示すランナ取付具８の縦断面斜視図、図１０はその横断面平面図、図１１は折戸２の取り外し時の作動状態を示す横断面平面図である。
【００３５】
先ず、ランナ本体６に連結軸７を取付けるとともに、ランナ本体６を走行レールに取付ける。また、ランナ取付具８を折戸２に固設するとともに、ロック部材２１、２１は、図９(A)及び図１０(A)に示されるように、拡開した位置に保持しておく。
【００３６】
この状態で、図９(A)、図１０(A)に示されるように、折戸２のランナ取付具８部分を、前記連結軸７に向けて水平方向に移動させる。さらに折戸２を水平方向に移動すると、図９(B)、図１０(B)に示されるように、連結軸７がケース体２５の溝部２７に進入し、連結軸７の大径部７ｂ及び軸部７ａがそれぞれ、ロック部材２１の大円弧部２１ｄおよび小円弧部２１ｃに当接し、ロック部材２１が連通軸２４を回転中心として回動を始める。このロック部材２１の回動に伴い、突出軸３０が傾斜辺部３１ａ、３１ａを摺動することにより、係合ブロック２２がバネ付勢力に抗して没入方向に移動を開始する。
【００３７】
その後、突出軸３０が前記傾斜片部３１ａを乗り越えると、バネ付勢力によって係合ブロック２２が折戸外面方向（外方向）に移動し、突出軸３０、３０が収容保持部３１ｂに移動不能に収容保持される（図９(C)、図１０(C)）。これにより折戸２の建込みが完了する。
【００３８】
続いて、折戸２の取り外し要領について説明する。この場合、先ず、図１１(A)に示されるように、前記係合ブロック２２の前面押圧部２２ｂをバネ付勢力に抗して没入操作し、前記突出軸３０、３０の収容保持部３１ｂへの収容保持状態を解除する。すると、この収容保持状態の解除と同時に、解除部３１ｃが突出軸３０、３０間に挟入される（同図(B)）。これにより、突出軸３０、３０間が拡開し、これに伴い前記突出軸３０，３０が傾斜辺部３１ａ、３１ａに乗上げるため、係合ブロック２２がバネ部材２３の付勢力によって外方向に移動されると、ロック部材２１、２１がそれぞれ回動して、連結軸７の挟持状態が解除され、折戸２の取り外しができるようになる（同図(C)、(D)）。
【００３９】
ところで、上記形態例の場合は、前記各ロック部材２１，２１が夫々独立的に回転自在に支持されているため、折戸２の吊込み時に前記連結軸が一方のロック部材２１のみに当接し、この一方のロック部材２１のみがロックされるという不具合が生じることがある。そこで、前記各ロック部材２１，２１に、互いに噛合する歯車部を形成し、左右一対のロック部材を相互に連動して回動させるようにするのが望ましい。
【００４０】
具体的には、図１２及び図１３に示されるように、各ロック部材２８の本体部分の下面には、対向配置した状態で互いに噛合するように、側面方向に突出した歯車部２８ａを形成する。これにより、ロック部材２８、２８を相互に連動して回動させることができるようになる。
【００４１】
折戸２の吊込み時には、図１４(A)に示されるように、ロック部材２８、２８を拡開した位置に保持したランナ取付具８部分を、前記連結軸７に向けて水平方向に移動させる。すると、連結軸７の大径部７ｂ及び軸部７ａがそれぞれ、ロック部材２８の大円弧部２１ｄおよび小円弧部２１ｃに当接し、ロック部材２８が連通軸２４を回転中心として回動を始める。このとき、連結軸７が一方のロック部材２８のみに当接する片当たりが生じても、前記歯車部２８ａ、２８ａが噛合することにより、左右一対のロック部材２８、２８はそれぞれ同じ回転角度で回動するようになる。その後、各ロック部材２８、２８に設けられた突出軸３０、３０がそれぞれ、確実に収容保持部３１ｂに移動不能に収容保持される（同図(B)）。
【００４２】
〔折戸の吊込み方法〕
次に、前記折戸２の吊込み作業要領について、図１５〜図２２に基づいて詳述する。
【００４３】
先ず、吊込み要領を説明する前に、吊込みに使用する吊込み治具４０について詳述する。
【００４４】
＜吊込み治具４０＞
図１５は吊込み治具４０を手前側から見た斜視図であり、図１６は吊込み治具４０を奥側から見た斜視図である。また、図１７は吊込み治具４０を示す、(A)は平面図、(B)は正面図、(C)は裏面図である。
【００４５】
吊込み治具４０は、左右一対の吊込みガイド本体４１Ａ、４１Ｂを弾性復元性を発揮する連結部材４２で連結し、各吊込みガイド本体４１Ａ、４１Ｂは前記ランナ取付具８を囲むように折戸２の上端部に嵌合される折戸嵌合部４３を有するとともに、前記連結軸７の挿入ガイド溝４４を有し、該挿入ガイド溝４４は前記折戸嵌合部４３とは反対側に形成された導入口部４５と、この導入口部４５から連続して嵌合された折戸２の略パネル方向に沿って形成された押込み案内溝部４６と、この押込み案内溝部４６から略直交方向に屈曲して連続形成されるとともに、前記連結軸７を前記ランナ取付具８の連結軸結合部に向けて案内する結合案内溝部４７とから主に構成されている。
【００４６】
前記吊込み治具４０は、熱可塑性樹脂を金型に高圧で流し込み冷却硬化させる射出成形を用いて製作された部材であり、左右一対の吊込みガイド本体４１Ａ、４１Ｂと、これら吊込みガイド本体４１Ａ、４１Ｂを連結するとともに、弾性復元性を有し、平面視でＵ字状を成す連結部材４２とからなる。この連結部材４２は樹脂の弾性を利用して復元性を持たせたものであり、仮に前記吊込みガイド本体４１Ａ、４１Ｂは離隔する方向に離れると、弾性復元性によって前記吊込みガイド本体４１Ａ、４１Ｂを元の相対的位置関係に戻すように復元力を発生させる。
【００４７】
前記吊込みガイド本体４１Ａ、４１Ｂは、線対称で構成された部材であり、それぞれ前記ランナ取付具８を囲むように折戸２の上端部に嵌合される折戸嵌合部４３を有するとともに、前記連結軸７の挿入ガイド溝４４を有する。前記挿入ガイド溝４４は、導入口部４５と、押込み案内溝部４６と、結合案内溝部４７と、連結軸抜脱溝部４８とからなる。
【００４８】
前記導入口部４５は、前記折戸嵌合部４３とは反対側に形成された連結軸７の挿入開始部となる溝部であり、図示されるように、一方側の溝壁を傾斜させることにより奥側に向かって漸次溝幅を狭めた溝形状となっている。
【００４９】
前記押込み案内溝部４６は、前記導入口部４５から連続して、嵌合された折戸２の略パネル方向に沿って形成された溝である。
【００５０】
前記結合案内溝部４７は、前記押込み案内溝部４６から略直交方向に屈曲して連続形成されるとともに、前記連結軸７を前記ランナ取付具８の連結軸結合部に向けて案内する溝である。
【００５１】
前記連結軸抜脱溝部４８は、前記結合案内溝部４７から連続して、嵌合された折戸２の略パネル方向に沿って形成された溝であり、連結軸７をランナ取付具８に連結させた後、吊込み治具４０を折戸２から取り外しできるように、連結軸７を抜脱路となる溝である。
【００５２】
＜折戸２の吊込み要領＞
次いで、前記吊込み治具４０を用いた折戸２の吊込み要領について図１８〜図２２に基づいて詳述する。
【００５３】
（吊込み治具４０のセット）
図１８に示されるように、折戸２を平面視でＶ字状に折り畳んだ状態とし、この折戸２の上端部に夫々、前記折戸嵌合部４３を嵌合させるようにして前記吊込み治具４０をセットする。吊込み治具４０を嵌合させた状態では、図１９に示されるように、前記結合案内溝部４７は、前記ランナ取付具８の連結軸結合部に向けて案内するように位置決めされている。
【００５４】
（折戸２の吊込み）
予め上ガイドレール３の施工時に、１枚の折戸２に付き２つのランナ本体６，６を挿入しておく。折戸２の吊込みに当たり、図２０に示されるように、２つのランナ本体６，６は最接近させた状態としておく。また、折戸２の下側走行体５を下ガイドレール４に載せた状態とした上で、折戸２を若干持ち上げ、連結軸７，７を吊込みガイド本体４１Ａ、４１Ｂの前記導入口部４５、４５に夫々あてがい、折戸２を上ガイドレール３に対してほぼ直交する方向に押し込むことにより、吊込み治具４０の挿入ガイド溝４４に連結軸７を挿入させる。なお、折戸２の持上げ量は、前記連結軸７の大径部７ｂが、前記ロック部材２１の大円弧部２１ｄの形成高さの範囲内となるように若干持ち上げればよい。
【００５５】
前記連結軸７，７を吊込みガイド本体４１Ａ、４１Ｂの前記導入口部４５、４５に夫々あてがった状態では、図２２に示されるように、連結軸７，７は前記導入口部４５の一方側溝壁面に位置しており、折戸２を上ガイドレール３に対してほぼ直交する方向に押し込むと、ランナ本体６，６は移動しないため、折戸２が若干開きながら、連結軸７，７が押込み案内溝部４６内に進入し、左右一対の吊込みガイド本体４１Ａ、４１Ｂは夫々離隔する方向に変位する。この変位に伴って吊込みガイド本体４１Ａ、４１Ｂ同士を連結している連結部材４２には弾性復元力が蓄積される。その後、引き続き折戸２の押し込みを継続し、連結軸７，７を前記結合案内溝部４７の入口部に到達すると、前記連結部材４２の弾性復元力によって吊込みガイド本体４１Ａ、４１Ｂ同士の間隔が狭まる方向に付勢され、前記連結軸７，７をランナ取付具８の連結軸結合部に自動的に案内され、連結軸７，７がランナ取付具８，８に対して夫々結合される。
【００５６】
前記連結軸７，７をランナ取付具８，８に結合させたならば、吊込み治具４０を奥側に引き抜いて撤去する。
【図面の簡単な説明】
【００５７】
【図１】吊込み装置１に支持された折戸２を示す、(A)は正面図、(B)はそのＢ−Ｂ断面図である。
【図２】ランナ本体６及び連結軸７の組立て状態を示す斜視図である。
【図３】ランナ本体６部分の要部拡大断面図である。
【図４】ランナ取付具８の分解図である。
【図５】ランナ取付具８の組み立て状態を示す横断面図である。
【図６】収容ケース２０を示す、(A)は正面図、(B)は上面図、(C)は側面図である。
【図７】ロック部材２１を示す、(A)は正面図、(B)は上面図、(C)は側面図である。
【図８】係合ブロック２２を示す、(A)は平面図、(B)は前面図、(C)は側面図、(D)は(A)のＤ−Ｄ線矢視図である。
【図９】吊込み時の作動状態を示すランナ取付具８の縦断面斜視図である。
【図１０】吊込み時の作動状態を示す横断面平面図である。
【図１１】取り外し時の作動状態を示す横断面平面図である。
【図１２】ロック部材２８の変形例を示す斜視図である。
【図１３】ロック部材２８の変形例を示す、(A)は正面図、(B)は下面図、(C)は側面図である。
【図１４】吊込み時の作動状態を示すランナ取付具８の横断面平面図である。
【図１５】吊込み治具４０を手前側から見た斜視図である。
【図１６】吊込み治具４０を奥側から見た斜視図である。
【図１７】吊込み治具４０を示す、(A)は平面図、(B)は正面図、(C)は裏面図である。
【図１８】吊込み要領（その１）を示す斜視図である。
【図１９】吊込み要領（その２）を示す斜視図である。
【図２０】吊込み要領（その３）を示す斜視図である。
【図２１】吊込み要領（その４）を示す斜視図である。
【図２２】吊込み治具４０を連結軸７に夫々あてがった状態を示す要部断面図である。
【符号の説明】
【００５８】
１…吊込み装置、２…折戸、３…上ガイドレール、４…下ガイドレール、５…下側走行体、６…ランナ本体、７…連結軸、８…ランナ取付具、２０…収容ケース、２１…ロック部材、２２…係合ブロック、２３…バネ部材、２４…連通軸、２７…溝部、３０…突出軸、３１…凹状部、３１ａ…傾斜辺部、３１ｂ…収容保持部、３１ｃ…解除部、４０…吊込み治具、４１Ａ・４１Ｂ…吊込みガイド本体、４２…連結部材、４３…折戸嵌合部、４４…挿入ガイド溝、４５…導入口部、４６…押込み案内溝部、４７…結合案内溝部、４８…連結軸抜脱溝部
【図１】
2009280965.tif 000003
【図２】
2009280965.tif 000004
【図３】
2009280965.tif 000005
【図４】
2009280965.tif 000006
【図５】
2009280965.tif 000007
【図６】
2009280965.tif 000008
【図７】
2009280965.tif 000009
【図８】
2009280965.tif 000010
【図９】
2009280965.tif 000011
【図１０】
2009280965.tif 000012
【図１１】
2009280965.tif 000013
【図１２】
2009280965.tif 000014
【図１３】
2009280965.tif 000015
【図１４】
2009280965.tif 000016
【図１５】
2009280965.tif 000017
【図１６】
2009280965.tif 000018
【図１７】
2009280965.tif 000019
【図１８】
2009280965.tif 000020
【図１９】
2009280965.tif 000021
【図２０】
2009280965.tif 000022
【図２１】
2009280965.tif 000023
【図２２】
2009280965.tif 000024